(57)【要約】【課題】  樹脂材料からなる部材を有するサッシに対して、断熱性能を維持しながら、防火性能を付与する。【解決手段】  外障子の樹脂製の召合框の中空部内及び内障子の樹脂製の召合框の中空部内にそれぞれ補強部材が配置されており、内障子の召合框の補強部材は、内周側見込壁と外周側見込壁と室外側見付壁を有する断面略Ｕ字状をなしており、外障子の召合框の補強部材は、内周側見込壁と外周側見込壁と室内側見付壁を有する断面略Ｕ字状をなしており、両補強部材は、見付壁同士が対向するように配置されているとともに、見付壁の反対向側にある領域にそれぞれ熱膨張耐火材を有しており、外障子の召合框と内障子の召合框の対向部間に熱膨張耐火材が配置されている。【選択図】図６
2020117888.tif 000002
【特許請求の範囲】
【請求項１】
外障子の樹脂製の召合框の中空部内及び内障子の樹脂製の召合框の中空部内にそれぞれ補強部材が配置されており、
内障子の召合框の補強部材は、内周側見込壁と外周側見込壁と室外側見付壁を有する断面略Ｕ字状をなしており、外障子の召合框の補強部材は、内周側見込壁と外周側見込壁と室内側見付壁を有する断面略Ｕ字状をなしており、
両補強部材は、見付壁同士が対向するように配置されているとともに、見付壁の反対向側にある領域にそれぞれ熱膨張耐火材を有しており、
外障子の召合框と内障子の召合框の対向部間に熱膨張耐火材が配置されている建具。
【発明の詳細な説明】
【技術分野】
【０００１】
建築物等の開口部に配置されるサッシに関する。
【背景技術】
【０００２】
従来、建築物の開口部に配置されるサッシとして、高い断熱性を有する樹脂枠及び樹脂框を備えるサッシが知られている。
【先行技術文献】
【特許文献】
【０００３】
【特許文献１】特開２０１６−１０８９０９号公報
【発明の概要】
【発明が解決しようとする課題】
【０００４】
特許文献１に示す樹脂サッシは、樹脂材料の特徴を生かして高い断熱性を有することができ、また、ある程度の防火性能を備えている。
しかし、近年、樹脂材料からなる部位を備える断熱サッシにおいて、さらに高い防火性能が求められるようになっている。
【０００５】
本発明は、上記の事情を鑑みたものであり、断熱性能とともに高い防火性能を備えるサッシを提供することを目的とする。
【課題を解決するための手段】
【０００６】
本発明の一つの実施形態は、外障子の樹脂製の召合框の中空部内及び内障子の樹脂製の召合框の中空部内にそれぞれ補強部材が配置されており、内障子の召合框の補強部材は、内周側見込壁と外周側見込壁と室外側見付壁を有する断面略Ｕ字状をなしており、外障子の召合框の補強部材は、内周側見込壁と外周側見込壁と室内側見付壁を有する断面略Ｕ字状をなしており、両補強部材は、見付壁同士が対向するように配置されているとともに、見付壁の反対向側にある領域にそれぞれ熱膨張耐火材を有しており、外障子の召合框と内障子の召合框の対向部間に熱膨張耐火材が配置されているサッシである。
【発明の効果】
【０００７】
本実施形態によれば、樹脂材料からなる部材を有するサッシに対して、断熱性能を維持しながら、防火性能を付与することができる。
【図面の簡単な説明】
【０００８】
【図１】一実施形態に係るサッシの外観図である。
【図２】一実施形態に係るサッシの取付状態における竪断面図である。
【図３】一実施形態に係るサッシの取付状態における横断面図である。
【図４】一実施形態に係るサッシの竪断面図である。
【図５】一実施形態に係るサッシの横断面図である。
【図６】一実施形態に係るサッシの内外障子の召合せ部の横断面図である。
【図７】一実施形態に係るサッシの内外障子の召合せ部の火災時の横断面図である。
【発明を実施するための形態】
【０００９】
本発明の一実施形態に係るサッシについて、図面を参考にして説明する。
本実施形態のサッシは、建物開口部に配置されている窓装置の室内側に配置される内窓Ａとして構成されており、図１に示すように、枠体１０と、枠体１０に対して摺動自在に配置される内障子２０及び外障子３０を備えている。
【００１０】
枠体１０は、上枠１１，下枠１２及び左、右竪枠１３，１４を有しており、各枠材は枠組されることなく、上枠１１，下枠１２及び左、右竪枠１３，１４がそれぞれ建物開口部の内周面にビス等の固定手段によって固定されることで建物開口部の四周に亘る枠体１０が形成されている。
【００１１】
内障子２０は、上框２１、下框２２、左竪框（召合框）２３及び右竪框（戸先框）２４を四周に組んで、その内周にパネル体２５を取り付けて形成されており、外障子３０は、上框３１、下框３２、左竪框（戸先框）３３及び右竪框（召合框）３４を四周に組んで、その内周にパネル体３５を取り付けて形成されている。
【００１２】
そして、本実施形態の内窓Ａは、図２，３に示すように、予め建物開口部に配置されている建具Ｂの室内側に配置されること、例えば額部Ｃの内周に固定されることによって、二重サッシを構成し、建物開口部における断熱性能を高めることができる。なお、建物開口部に配置されている建具Ｂは、どのような建具であっても良く、ここではその説明を省略する。
【００１３】
（枠体の構成）
枠体１０の上枠１１は、図４に示すように、樹脂材料からなる略平板状の上枠本体１１１と、アルミ合金等の金属材料からなる上レール部材１１２を有している。そして、上レール部材１１２が上枠本体１１１の内周面(下面)に配置された状態で、上枠本体１１１と上レール部材１１２はビス等の固定手段ｂにより、建物開口部の額部Ｃの内周面（下面）に固定されている。
【００１４】
上枠本体１１１は、額部Ｃに固定される上枠本体部１１１ａと、上枠本体部１１１ａの室内側端から垂下する室内側壁部１１１ｂを有している。
【００１５】
上レール部材１１２は、上枠本体１１１と共に額部Ｃに固定される上レール固定部１１２ａと、上レール固定部１１２ａの室内側より下方に垂設される上内レール１１２ｂと、上レール固定部１１２ａの室外側より下方に垂設される上外レール１１２ｃを有している。
上枠１１の上内レール１１２ｂと上外レール１１２ｃとの間であって、内障子２０及び外障子３０の召合框２３，３４の上方位置にはヒレ状の風止め部を有する風止め部材７１が配置されている。
【００１６】
枠体１０の下枠１２は、図４に示すように、樹脂材料からなる略平板状の下枠本体１２１と、アルミ合金等の金属材料からなる下レール部材１２２を有している。そして、下レール部材１２２が下枠本体１２１の内周面（上面）に配置された状態で、下枠本体１２１と下レール部材１２２はビス等の固定手段ｂにより、建物開口部の額部Ｃの内周面（上面）に固定されている。
【００１７】
下枠本体１２１は、建物開口部に固定される下枠本体部１２１ａと、下枠本体部１２１ａの室内側端から上方に立設する室内側壁部１２１ｂを有している。
【００１８】
下レール部材１２２は、下枠本体１２１と共に額部Ｃに固定される下レール固定部１２２ａと、下レール固定部１２２ａの室内側より上方に立設する下内レール１２２ｂと、下レール固定部１２２ａの室外側より上方に立設する下外レール１２２ｃを有している。
下枠１２の下内レール１２２ｂと下外レール１２２ｃとの間であって、内障子２０及び外障子３０の召合框２３，３４の下方位置にはヒレ状の風止め部を有する風止め部材７２が配置されている。
【００１９】
枠体１０の左、右竪枠１３，１４は、樹脂材料からなり、図５に示すように、略平板状に形成されており、ビス等の固定手段ｂ，ｂにより、建物開口部の額部Ｃの内周面に固定されている。
本実施形態の左、右竪枠１３，１４は、上、下枠１１，１２と同様に樹脂材料によって形成してもよいが、アルミ合金等の押出形材の表面を合成樹脂等の断熱材料によってコーティングして形成してもよい。
【００２０】
左、右竪枠１３，１４は、建物開口部に固定される左、右竪枠本体部１３１ａ，１４１ａと、左、右竪枠本体部１３１ａ，１４１ａの見込み方向略中央位置から内周方向に突設される中央壁部１３１ｂ，１４１ｂと、左、右竪枠本体部１３１ａ，１４１ａの室内側端から内周方向に突設される室内側壁部１３１ｃ，１４１ｃと、左、右竪枠本体部１３１ａ，１４１ａの室外側端から内周方向に突設される室外側壁部１３１ｄ，１４１ｄとを有している。
【００２１】
中央壁部１３１ｂ，１４１ｂは、内周端に、室内外両側に延びるヒレ状の気密片を有している。ヒレ状の気密片は、内障子２０もしくは外障子３０の閉鎖時において、内、外障子２０，３０の戸先框２４，３３に当接して、内、外障子２０，３０の閉鎖時における内障子２０と右竪枠１４との気密、外障子３０と左竪枠１３との気密を行っている。
【００２２】
左竪枠１３は、左竪枠本体部１３１ａの内周側であって中央壁部１３１ｂの室外側に金属材料からなる補強部材１３２を有しており、右竪枠１４は、右竪枠本体部１４１ａの内周面であって中央壁部１４１ｂの室内側に金属材料からなる補強部材１４２を有している。
【００２３】
左竪枠１３の補強部材１３２は、アルミ合金やスチール等の金属材料からなり、中央壁部１３１ｂの室外側面に沿う見付壁と左竪枠本体部１３１ａの内周面に沿う見込壁を有する断面略Ｌ字状の長尺部材であり、左竪枠１３の全長に亘って配置されている。
右竪枠１４の補強部材１４２は、アルミ合金やスチール等の金属材料からなり、中央壁部１４１ｂの室内側面に沿う見付壁と右竪枠本体部１４１ａの内周面に沿う見込壁を有する断面略Ｌ字状の長尺部材であり、右竪枠１４の全長に亘って配置されている。
【００２４】
そして、左竪枠１３の補強部材１３２の見付壁の室外側面に、外障子３０の戸先框３３の戸先端部の室内側面に対向するように熱膨張耐火材ｆが配置されており、右竪枠１４の補強部材１４２の見付壁の室内側面に、内障子２０の戸先框２４の戸先端部の室外側面に対向するように熱膨張耐火材ｆが配置されている。
【００２５】
左、右竪枠１３，１４に配置された補強部材１３２，１４２は、それぞれ左、右竪枠１３，１４を固定する固定手段ｂ，ｂによって、左、右竪枠本体部１３１ａ，１４１ａとともに建物開口部に固定されている。
【００２６】
本実施形態のサッシの枠体１０を建物開口部に固定するに際しては、例えば、左竪枠１３→下枠１２→右竪枠１４→上枠１１の順番で建物開口部の四周に配置、固定することで、枠体１０を建物開口部の四周に対して配置することができる。
このとき、建物開口部の四隅において、横枠（上枠１１，下枠１２）の少なくとも上内レール１１２ｂ、上外レール１１２ｃ及び下内レール１２２ｂ、下外レール１２２ｃの一部、もしくは、竪枠（左竪枠１３，右竪枠１４）の中央壁部１３１ｂ，１４１ｂの一部を切欠くこと等によって、上枠１１，下枠１２及び左、右竪枠１３，１４同士が取付けに際して干渉することを防止することができる。
【００２７】
（内障子の構成）
内障子２０の上框２１は、図４に示すように、樹脂材料からなる上框本体２１１と、アルミ合金等の金属材料からなる補強芯材２１２を有している。
【００２８】
上框本体２１１は、パネル体２５を保持するためのガラス間口２１１ａと、ガラス間口２１１ａの外周側に形成され上内レール１１２ｂに案内される開口部２１１ｂを有し、開口部２１１ｂを構成する室内、外側壁の上端には上内レール１１２ｂに当接もしくは近接する気密片が設けられている。
【００２９】
内障子２０の上框２１は、ガラス間口２１１ａ内にスチール等の金属材料からなる補強部材２１３が配置されており、パネル体２５が、補強部材２１３及び難燃性のグレイジングチャンネル２１９を介してガラス間口２１１ａに保持されている。また、開口部２１１ｂ内に補強芯材２１２が配置されている。
開口部２１１ｂに配置された補強芯材２１２とガラス間口２１１ａに配置された補強部材２１３とは、開口部２１１ｂの底壁を間に挟んで連結手段により連結されている。
【００３０】
ガラス間口２１１ａ内に配置される補強部材２１３は、パネル体２５の端面に対向する底壁と、パネル体２５の縁部の室内外側面に対向する室内外壁を有する断面略Ｕ字状をしており、室内外壁の内側面には、熱膨張耐火材が取り付けられている。
【００３１】
開口部２１１ｂ内に配置される補強芯材２１２は、開口部２１１ｂの底部に沿って配置される底壁部２１２ａと、底壁部２１２ａの室内側端部に連続して開口部２１１ｂの室内壁に沿って延びる室内壁部２１２ｂと、底壁部２１２ａの室外側端部に連続して開口部２１１ｂの室外壁に沿って延びる室外壁部２１２ｃを有している。
【００３２】
補強芯材２１２の底壁部２１２ａの上面及び下面にそれぞれ熱膨張耐火材が配置されており、室内壁部２１２ｂ及び室外壁部２１２ｃの上端近傍の内側面に熱膨張耐火材ｆ，ｆが配置されている。
【００３３】
内障子２０の下框２２は、図４に示すように、樹脂材料からなる下框本体２２１と、アルミ合金等の金属材料からなり下框本体２２１に内装される第１補強芯材２２２及び第２補強芯材２２３を有している。
【００３４】
下框本体２２１は、内周側のガラス間口２２１ａと、ガラス間口２２１ａの外周に配置される中空部２２１ｂと、外周側の開口部２２１ｃとを有している。
【００３５】
第１補強芯材２２２は、断面略矩形の中空形状をなしており、下框本体２２１の中空部２２１ｂ内に配置されている。第２補強芯材２２３は、矩形中空部と下方に開口する開口部を備える断面形状をなしており、下框本体２２１の開口部２２１ｃの開口内に配置されている。
【００３６】
第１補強芯材２２２の中空部内には、スチール等からなる断面略Ｕ字状の第１補強部材２２４が外周方向に開口するように配置され、第２補強芯材２２３の中空部内及び開口部内には、断面略Ｕ字状の第２補強部材２２５及び第３補強部材２２６がそれぞれ室内方向に開口するように配置されている。
【００３７】
ガラス間口２２１ａ内には、スチール等の金属材料からなり、パネル体２５の端面に対向する底壁と、パネル体２５の縁部の室内外側面に対向する室内外壁を有する断面略Ｕ字状の第４補強部材２２７が配置されており、パネル体２５が、第４補強部材２２７及び難燃性のグレイジングチャンネル２２９を介してガラス間口２２１ａに保持されている。
第４補強部材２２７と第１補強芯材２２２及び第１補強部材２２４は、ガラス間口２２１ａの底壁を挟んで連結手段を介して連結されている。
【００３８】
また、第１補強芯材２２２と第２補強芯材２２３及び第２補強部材２２５は、下框本体２２１の中空部２２１ｂの底壁を挟んで連結手段により連結されており、第２補強部材２２５と第３補強部材２２６は、第２補強芯材２２３の中間壁を間に挟んで連結手段により連結されている。
【００３９】
下框本体２２１の開口部２２１ｃの所定位置、具体的には見付方向の両端近傍位置には、下内レール１２２ｂ上を走行する戸車９２が配置され、内障子２０は、下内レール１２２ｂ上を走行自在に配置されている。
【００４０】
内障子２０の右竪框（戸先框）２４は、図５に示すように、樹脂材料からなり、断面略矩形の中空部を有する右竪框本体部２４１ｂと、右竪框本体部２４１ｂの内周側に形成されパネル体２５を保持するためのガラス間口２４１ａを有している。
なお、本実施形態の右竪框２４は、アルミ合金等の押出形材の表面を合成樹脂等の断熱材料によってコーティングして形成してもよい。
【００４１】
右竪框本体部２４１ｂの中空部内には、スチール等の金属材料からなり、見込壁と室内側見付壁と室外側見付壁を有する断面略Ｕ字状の第１補強部材２４２が外周側に向けて開口するように配置されている。
第１補強部材２４２の見込壁の外周側面（内側面）と室内側見付壁の室外側面（内側面）と室外側見付壁の室内側面（内側面）には、それぞれ熱膨張耐火材ｆが配置されている。
また、第１補強部材２４２の見込壁の内周面（外側面）と右縦框本体２４１との間に、熱膨張耐火材ｆが配置されている。
【００４２】
ガラス間口２４１ａ内には、スチール等の金属材料からなりパネル体２５の端面に対向する底壁と、パネル体２５の縁部の室内外側面に対向する室内外壁を有する断面略Ｕ字状の第２補強部材２４３が配置されており、パネル体２５が、第２補強部材２４３及び難燃性のグレイジングチャンネル２４９を介してガラス間口２４１ａに保持されている。
【００４３】
第１補強部材２４２と第２補強部材２４３とは、右竪框本体部２４１ｂの内周側の壁部を挟んで連結手段により連結されている。
なお、右竪框本体部２４１ｂの中空部内に配置される第１補強部材２４２は、略Ｕ字状の断面形状に限らず、例えば、断面略矩形のホロー構造等でもよい。
【００４４】
内障子２０の左竪框（召合框）２３は、樹脂材料からなり、図５に示すように、中空部を有する左竪框本体部２３１ｂと左竪框本体部２３１ｂの室外側内周に形成されるガラス間口２３１ａを有しており、外周側面が室外側に延びて外障子３０の召合框３４に当接もしくは近接する気密片２３１ｃが形成されている。
また、左竪框２３の外周面には防火クレセント錠６１が取り付けられている。
【００４５】
左竪框本体部２３１ｂの中空部内には、スチール等の金属材料からなりガラス間口２３１ａの底壁に沿う内周側の見込面部と左竪框本体部２３１ｂの室外側面に沿う見付面部と外周側の見込面部と内周側の見込み面の室内側が外周側に屈曲して形成される固定壁を有する第１補強部材２３２と、第１補強部材２３２の固定壁に固定される第２補強部材２３３及び断面略L字形の第４補強部材２３５が配置されている。
【００４６】
一方、ガラス間口２３１ａ内には、パネル体２５の端面に対向する底壁と、パネル体２５の縁部の室内外側面に対向する室内外壁を有する断面略Ｕ字状の第３補強部材２３４が内周側に向けて開口するように配置されており、第３補強部材２３４の室内外壁には熱膨張耐火材ｆが配置されている。そして、パネル体２５が、第３補強部材２３４及び難燃性のグレイジングチャンネル２３９を介してガラス間口２３１ａに保持されている。
【００４７】
第１補強部材２３２と第３補強部材２３４は、左竪框本体部２３１ｂの内周側の壁及び熱膨張耐火材ｆを間に挟んで連結手段により連結されている。また、第１補強部材２３２、第２補強部材２３３及び第４補強部材２３５の適宜部位に熱膨張耐火材ｆが配置されている。
なお、内障子２０に使用されるパネル体２５は、耐火性、耐熱性を有するガラス、例えば、結晶化ガラスにより形成されている。
【００４８】
（外障子の構成）
以下に、外障子３０について説明するが、外障子３０と内障子２０とは、上下枠および戸先框について基本的にその構成を同じくするものであるから、ここでは、特に外障子３０の召合框３４について説明し、内障子２０の構成と同様の構成については、その説明を省略する。
【００４９】
外障子３０の右竪框（召合框）３４は、樹脂材料からなり、図５に示すように、中空部を有する右竪框本体部３４１ｂと右竪框本体部３４１ｂの内周側に形成されるガラス間口３４１ａを有しており、外周側面が室内側に延びて内障子２０の召合框２３に当接もしくは近接する気密片３４１ｃが形成されている。
また、右竪框（召合框）３４の室内側面に防火クレセント受け６２が設けられている。
【００５０】
右竪框（召合框）３４の右竪框本体部３４１ｂの中空部内には、スチール等の金属材料からなりガラス間口３４１ａの底壁に沿う見込面部と右竪框本体部３４１ｂの室内側面に沿う見付面部と外周側の見込面部を有する第１補強部材３４２が配置されている。
【００５１】
ガラス間口３４１ａ内には、パネル体２５の端面に対向する底壁と、パネル体２５の縁部の室内外側面に対向する室内外壁を有する断面略Ｕ字状の第２補強部材３４３が内周側に向けて開口するように配置されており、第２補強部材３４３の室内外壁には熱膨張耐火材が配置されている。そして、パネル体３５が、第２補強部材３４３及び難燃性のグレイジングチャンネル３４９を介してガラス間口３４１ａに保持されている。
【００５２】
第１補強部材３４２と第２補強部材３４３は、右竪框本体部３４１ｂの内周側の壁及び熱膨張耐火材を間に挟んで連結手段により連結されている。また、第１補強部材３４２の見付面部の室外側面（内側面）には、火災時の加熱により膨張する熱膨張耐火材ｆが配置されている。
【００５３】
本実施形態の建具の召合せ部の防火構造について、さらに詳細に説明する。
内障子２０の召合框（左竪框）２３は、図６（ａ）に示すように、樹脂材料からなる左竪框本体部２３１ｂの室外側内周にガラス間口２３１ａが形成されて構成されている。左竪框本体部２３１ｂは、室外側の見付幅寸法が小さく室内側の見付幅寸法が大きい全体として断面略Ｌ字状の中空部を有している。
【００５４】
中空部内の室外側に配置される第１補強部材２３２は、スチール等の金属材料からなり、ガラス間口２３１ａの底壁に対向する内周側見込壁２３２ａと、左竪框本体部２３１ｂの外周面に対向する外周側見込壁２３２ｂと、内周側見込壁２３２ａと外周側見込壁２３２ｂを連絡する室外側見付壁２３２ｃを有し、内周側見込壁２３２ａの室内側が外周側に屈曲して延設される固定壁２３２ｄを有している。
【００５５】
第１補強部材２３２は、防火クレセント錠６１が取り付けられた位置の上下位置付近に、断面略Ｌ字形の第４補強部材２３５が取り付けられており、左竪框（召合框）２３のネジレ強度を向上させている。
また、第１補強部材２３２は、上下２箇所において、固定壁２３２ｄに召合せ框２３の上下に取り付ける上下キャップ８，８（図６（ｂ）参照）を受けるための第２補強部材２３３が配置されている。
【００５６】
第１補強部材２３２の室外側見付壁２３２ｃの室内側面及び外周側見込壁２３２ｂの外周側面に熱膨張耐火材ｆ１，ｆ２が配置されており、第２補強部材２３３の室内側見付壁の室外側面及び外周側見込壁の内周側面に、熱膨張耐火材ｆ，ｆが設けられている。
また、ガラス間口２３１ａ内に配置された第３補強部材２３４の室内外壁の外側面及び内側面に、熱膨張耐火材ｆ３，ｆ４が配置されており、第３補強部材２３４の底壁と第１補強部材２３２の内周側見込面２３２ａとの間には、熱膨張耐火材ｆ５が配置されている。
【００５７】
一方、外障子３０の召合框（右竪框）３４は、樹脂材料からなる右竪框本体部３４１ｂの内周にガラス間口３４１ａが形成されて構成されており、右竪框本体部３４１ｂは、全体として断面略矩形の中空部を有している。
【００５８】
右竪框３４は、右竪框本体部３４１ｂの中空部内に第１補強部材３４２が配置されている。
【００５９】
中空部内に配置される第１補強部材３４２は、スチール等の金属材料からなり、ガラス間口３４１ａの底壁に対向する内周側見込壁３４２ａと、右竪框本体部３４１ｂの外周面に対向する外周側見込壁３４２ｂと、内周側見込壁３４２ａと外周側見込壁３４２ｂを連絡する室内側見付壁３４２ｃを有している。
なお、内障子２０の召合框２３の中空部内に配置される第１補強部材２３２と外障子３０の召合框３４の中空部内に配置される第１補強部材３４２を同一の補強部材によって形成することで、部品管理を容易にし、製造コストを下げることができる。
【００６０】
第１補強部材３４２の室内側見付壁２４２ｃの室外側面に熱膨張耐火材ｆ６が配置されている。
また、ガラス間口２４１ａ内に配置された第２補強部材３４３の室内外壁の外側面及び内側面に、熱膨張耐火材ｆ７，ｆ８が配置されており、第２補強部材３４３の底壁と第１補強部材３４２の内周側見込面３４２ａとの間には、熱膨張耐火材ｆ９が配置されている。
【００６１】
そして、内障子２０と外障子３０の召合せ部には、内障子２０の左竪框２３の外周室外側に形成された気密片２３１ｃと、外障子３０の右竪框３４の外周室内側に形成された気密片３４１ｃによって、煙返し等を設けない比較的単純な形状の召合領域Ｓ１が形成されており、内障子２０の左竪框２３の室外側面及び外障子３０の右竪框３４の室内側面に召合領域Ｓ１に向かって熱膨張耐火材ｆ１０，ｆ１１が配置されている。
【００６２】
以上の召合せ部においては、火災時には、図７に示すように、召合領域Ｓ１に配置された熱膨張耐火材ｆ１０，ｆ１１が膨張することによって、内障子２０と外障子３０の召合せ部を閉塞する。そして、内、外障子２０，３０の樹脂製の召合框２３，３４が溶融した場合には、外障子３０の召合框３４の第１補強部材３４２の室内側見付壁３４２ｃと内障子２０の召合框２３の第１補強部材２３２の室外側見付壁２３２ｃが対向しているので、召合領域Ｓ１で膨張した熱膨張耐火材ｆは、両見付壁の間で膨張して召合せ部分を閉塞する。
【００６３】
また、内障子２０の中空部内に配置された第１補強部材２３２に取り付けられた熱膨張耐火材ｆ１が膨張することで、第１補強部材２３２の室内側が熱膨張耐火材ｆ１によって覆われ、外障子３０の中空部内に配置された第１補強部材３４２に取り付けられた熱膨張耐火材ｆ６が膨張することで、第１補強部材３４２の室外側が熱膨張耐火材ｆ６に覆われる。
【００６４】
さらに、内障子２０の召合框２３のガラス間口２３１ａに配置された第３補強部材２３４の室内壁の外側面に設けられた熱膨張耐火材ｆ３及び第３補強部材２３４の底壁と第１補強部材２３２の内周側見込面２３２ａとの間に設けられた熱膨張耐火材ｆ５が膨張することで、召合せ部の室内側を覆う。
【００６５】
また、外障子３０の召合框３４のガラス間口３４１ａに配置された第２補強部材３４３の室外壁の外側面に設けられた熱膨張耐火材ｆ７及び第２補強部材３４３の底壁と第１補強部材３４２の内周側見込面３４２ａとの間に設けられた熱膨張耐火材ｆ９が膨張することで、召合せ部の室外側を覆う。
【００６６】
したがって、召合せ部は、室内側面から室外側面に亘って、熱膨張耐火材と補強部材による連続した閉塞部が形成される。
【００６７】
以上のように、本実施形態の内窓は、内障子及び外障子の召合せ部に煙返し等が存在しない比較的単純な形状の召合領域Ｓ１を形成し、該領域Ｓ１内に熱膨張耐火材を配置しているので、火災時には、熱膨張耐火材が召合領域内でスムーズに膨張して、召合せ部を確実に閉塞することができる。
【００６８】
また、内、外障子の召合框内には、見付壁同士が近接対向するように補強部材が配置されているので、樹脂製の召合框が溶融した場合にも、召合せ部分が補強部材の見付壁で囲まれた状態となり、熱膨張耐火材による召合わせ部の閉塞状態をより保つことができる。
【００６９】
さらに、内、外障子の召合框内の補強部材の見付壁の反対向側の領域に熱膨張耐火材を配置しているので、室内側及び室外側のいずれからの火炎に対しても、すばやく補強部材の対火炎側において熱膨張耐火材が膨張して補強部材を火炎や熱等から保護し、補強部材の変形等を抑制することができる。
【００７０】
特に、内障子の召合せ框においては、補強部材の見付壁の室内側面に熱膨張耐火材が配置され、外障子の召合せ框においては、補強部材の見付壁の室外側面に熱膨張耐火材が配置されることで、召合せ框の中空部内の召合せ部に近い側を熱膨張耐火材が密な発泡状態で保護することができ、また、召合せ框の広い見付け面に熱膨張耐火材を配置することができるので、十分な量の耐火材を配置することができる。
【００７１】
さらに、熱膨張耐火材は、膨張時に内外周側の見込壁で膨張が案内されるので、補強部材の内周面で安定した膨張をすることができる。
また、補強部材の見付壁は、ネジ等の固定手段によって固定されることが少なく、比較的平坦な面に熱膨張耐火材を配置すればよいので、施工性がよく、取付状態が安定する。
【００７２】
また、ガラス間口２３１ａ，３４１ａ内に配置された断面略Ｕ字状の補強部材２３４，３４３の内外壁面の外側に熱膨張耐火材が配置されており、ガラス間口２３１ａ，３４１ａ内の補強部材２３４，３４３と中空部内の補強部材２３２，３４２との間に熱膨張耐火材が配置されているので、火災時には、ガラス間口２３１ａ，３４１ａ内の補強部材２３４，３４３から中空部内の補強部材２３２，３４２に亘って膨張した熱膨張耐火材ｆで保護することができ、補強部材の温度上昇を抑えられて形状を維持することができ、召合せ部における耐火性能をさらに向上させることができる。
【００７３】
なお、内、外障子の召合框内の補強部材２３２，３４２の見付壁同士の反対向側の領域に配置される熱膨張耐火材は、補強部材のＵ字状の内部に充満すればよく、補強部材２３２，３４２の見付壁ではなく見込壁に設けてもよい。
【００７４】
また、本実施形態は、室外側に既設のサッシが配置された建物開口部の室内側に配置される内窓として説明されているが、単独で建物開口部に配置されるサッシに対して採用することもできる。
【００７５】
さらに、本発明において、内障子及び外障子の構成は、上記実施形態に限定されるものではなく、本発明の要旨を変更しない範囲において、如何なる障子も用いることができる。
また、障子の框材を補強する補強部材や補強芯材の断面形状は、実施形態に示す断面形状に限定されるものではなく、補強部材や補強芯材に配置される熱膨張耐火材の位置も限定されるものではない。
【００７６】
なお、以上の実施形態は，請求項に記載された発明を限定するものではなく，例示として取り扱われることは言うまでもない。
【符号の説明】
【００７７】
２０      ：内障子
２３      ：召合框
２３２    ：第１補強部材（補強部材）
２３２ａ  ：内周側見込壁
２３２ｂ  ：外周側見込壁
２３２ｃ  ：室外側見付壁（見付壁）
３０      ：外障子
３４      ：召合框
３４２    ：第１補強部材（補強部材）
３４２ａ  ：内周側見込壁
３４２ｂ  ：外周側見込壁
３４２ｃ  ：室内側見付壁（見付壁）
ｆ        ：熱膨張耐火材
【図１】
2020117888.tif 000003
【図２】
2020117888.tif 000004
【図３】
2020117888.tif 000005
【図４】
2020117888.tif 000006
【図５】
2020117888.tif 000007
【図６】
2020117888.tif 000008
【図７】
2020117888.tif 000009